(57)【要約】      （修正有）【課題】喫煙と食事用のマスクを提供する。【解決手段】喫煙と食事用のマスクは、空気中の汚染物質を濾過するために用いられ、使用者の口の位置に対応する位置に第一穴２１を有する第一マスク１０と、第一マスクの左右両側にそれぞれ連結される２つのゴムひも４０と、を備える。第一穴は、使用者がマスクを取り外さずに喫煙または飲食するためにたばこまたはストローを挿着させるために用いられる。第一穴が第二マスクに配置され、第二マスクに第一穴を封止するための第三マスクが配置され、第一マスクには第二マスクに対応する位置に開口部が形成されるという構造も本考案に含まれる。【選択図】図１
0003228583.tif 000002
【実用新案登録請求の範囲】
【請求項１】
空気中の汚染物質を濾過するために用いられ、使用者の口の位置に対応する位置に第一穴を有する第一マスクと、
前記第一マスクの左右両側にそれぞれ連結される２つのゴムひもと、を備え、
前記第一穴はたばこまたはストローを挿入させるために用いられることを特徴とする喫煙と食事用のマスク。
【請求項２】
前記第一マスクは、使用者の口の位置に対応する位置に第二穴を更に有することを特徴とする請求項１に記載の喫煙と食事用のマスク。
【請求項３】
前記第一穴は使用者が吸うためのたばこを挿入させるために用いられ、前記第二穴は使用者が喫煙時に吐き出した気体を排出するために用いられることを特徴とする請求項２に記載の喫煙と食事用のマスク。
【請求項４】
前記第一マスクの前記第二穴の内側に装設される呼気チューブを更に備えることを特徴とする請求項２に記載の喫煙と食事用のマスク。
【請求項５】
少なくとも一側が結合構成を介して前記第一マスクの外側に容易に分離可能に結合され、空気中の汚染物質の濾過をするために用いられる第二マスクを更に備えることを特徴とする請求項１に記載の喫煙と食事用のマスク。
【請求項６】
前記結合構成は前記第二マスクを前記第一マスクに貼着するための面ファスナーであることを特徴とする請求項５に記載の喫煙と食事用のマスク。
【請求項７】
前記第一マスク及び前記第二マスクは防塵マスクまたは医療用マスクであることを特徴とする請求項５に記載の喫煙と食事用のマスク。
【請求項８】
前記第一マスク及び前記第二マスクは活性炭を備えることを特徴とする請求項５に記載の喫煙と食事用のマスク。
【請求項９】
前記第一マスク及び前記第二マスクは多層構造を有することを特徴とする請求項５に記載の喫煙と食事用のマスク。
【請求項１０】
前記第二マスクのサイズは前記第一マスク未満であることを特徴とする請求項５に記載の喫煙と食事用のマスク。
【請求項１１】
前記第二マスクの内側に装設される呼気チューブを更に備え、前記呼気チューブの位置は前記第一マスクの前記第二穴に対応することを特徴とする請求項５に記載の喫煙と食事用のマスク。
【請求項１２】
着用されると使用者の鼻口の位置を覆い隠し、使用者の口に対応する位置に開口部を有する第一マスクと、
結合構成を介して前記第一マスクの外側に容易に分離可能に結合される第二マスクでと、
前記第二マスクの外側に位置され、一側は前記第二マスクの外側の一辺に連接され、他側は結合構成を介して前記第二マスクの外側の他辺に容易に分離可能に結合される第三マスクと、
前記第一マスクの左右両側にそれぞれ連結される２つのゴムひもと、を備え、前記第二マスク及び前記第一マスクが結合されると、前記第二マスクにより前記第一マスクの前記開口部が封止され、前記第二マスクは使用者の口の位置に対応する位置に第一穴及び第二穴を有することを特徴とする喫煙と食事用のマスク。
【請求項１３】
使用状態では、前記第二マスクから前記第三マスクが開かれ、前記第二マスクの前記第一穴及び前記第二穴が外側に露出され、前記第一穴はたばこまたはストローを挿入させるために用いられ、且つ前記たばこまたはストローは前記第一マスクの前記開口部を貫通し、前記第二穴は使用者が吐き出した気体を排出するために用いられることを特徴とする請求項１２に記載の喫煙と食事用のマスク。
【考案の詳細な説明】
【技術分野】
【０００１】
本考案は、マスクに関し、更に詳しくは、喫煙と食事用のマスクに関する。
【背景技術】
【０００２】
近代工業の発展に伴って空気汚染が現代社会における重大な環境問題となっており、外出時にはマスクが欠かせなくなっている。マスクは主に使用者の鼻口部位に着用され、使用者の鼻口部位を覆い隠して外界から隔離させるために用いられている。鼻口を出入りする空気はマスクにより濾過され、有害なガス、匂い、飛沫が使用者の鼻口に入らないようにする目的を達成させている。
【考案の概要】
【考案が解決しようとする課題】
【０００３】
しかしながら、前述した従来のマスク技術では、使用者がマスクを着用すると、マスクが使用者の鼻口部位を覆うため、マスクを着用した状態では喫煙やストローを使用しての飲料を飲む等の動作が行えなくなった。使用者が喫煙やストローを使用して飲料を飲む場合、マスクを取り外さなければならず、不便である上、マスクを外すと使用者の鼻口が外界の環境に露出されてしまい、外界の汚染物質が鼻口に進入する可能性が高まった。
【０００４】
本考案は、このような従来の問題に鑑みてなされたものである。上記課題解決のため、本考案は、喫煙と食事用のマスクを提供することを主目的とする。
【０００５】
上記課題を解決するために、本考案のある態様の喫煙と食事用のマスクは、第一マスクにはたばこを挿着するための第一穴が形成されている。前記第一穴は、使用者がマスクを外さずにストローを挿着して水や飲料を飲用するために用いられ、これによりマスクを取り外すことで鼻口が外界に露出する危険性が回避される。前記第一マスクは、使用者が喫煙中に吐き出した気体を排出するための第二穴を更に有する。本考案は第一マスク内部に、前記第一マスクの第一穴及び第二穴を封止するための取り外し可能な第二マスクが更に配置されており、第二マスクを交換する際に手早く直接新しいものに交換可能である。本考案は第一穴が第二マスクに配置され、前記第二マスクには前記第一穴を封止するための第三マスクが配置され、前記第一マスクには前記第二マスクに対応する位置に開口部が形成されている。
【図面の簡単な説明】
【０００６】
【図１】本考案に係る喫煙と食事用のマスクの部材の組み合わせを説明する概略図である。
【図２】本考案の一応用例を示す概略図である。
【図３】本考案の他の応用例を示す概略図である。
【図４】本考案の他の部材の組み合わせを示す概略図である。
【図５】たばこが図４に示す第一マスクの第一穴に挿入される概略図である。
【図６】本考案のさらなる他の部材の組み合わせの内側を示す概略図である。
【図７】本考案の第一マスクと第二マスクの組み合わせを示す概略図である。
【図８】図７に示す内側を示す概略図である。
【図９】図７に示す部材を示す分解の概略図である。
【図１０】本考案の又別の部材の組み合わせの内側を示す概略図である。
【図１１】図１０に示す部材を示す分解の概略図である。
【図１２】本考案の他の実施形態に係る喫煙と食事用のマスクを示す概略図である。
【図１３】図１２に示す部材の分解を示す概略図である。
【考案を実施するための形態】
【０００７】
以下、本考案の実施の形態について、図面を参照して詳細に説明する。なお、本考案は以下の例に限定されるものではなく、本考案の要旨を逸脱しない範囲で、任意に変更可能であることは言うまでもない。
【０００８】
本明細書及び図面の記載により、少なくとも、以下の事項が明らかとなる。
【０００９】
以下に、図１〜１３を参照しながら、本考案の喫煙と食事用のマスクをさらに詳しく説明する。部材は以下のとおりである。
【００１０】
第一マスク１０は、空気中の有害な気体、細菌、及び飛沫等の汚染物質の濾過に用いられる。着用すると、前記第一マスク１０が使用者の鼻口位置を覆い隠す。前記第一マスク１０は使用者の鼻口部位に適合するように矩形、菱形等の異なる形態を有する。
【００１１】
前記第一マスク１０は主に綿材質または不織布で構成されるが、本考案の範囲は上述の材質に制限されず、好ましくは、前記第一マスク１０は防塵マスク或いは医療用マスクである。好ましくは、前記第一マスク１０が活性炭を備えている。好ましくは、前記第一マスク１０は多層構造を有する。
【００１２】
図１を参照し、前記第一マスク１０は、使用者の口の位置に対応する位置に第一穴２１を有する。
【００１３】
図２に示されるように、本考案の応用例では、前記第一穴２１は、使用者が喫煙する際に前記第一マスク１０  を外さずにたばこ１００を挿入するために用いられる。
【００１４】
図３に示されるように、本考案の他の応用例では、前記マスク１０の前記第一穴２１は、使用者が外部の飲料を飲む際に前記第一マスク１０  を外さずにストロー２００を挿入するために用いられる。
【００１５】
図４に示されるように、前記第一マスク１０は使用者の口の位置に対応する位置に第二穴２２を更に有する。
【００１６】
上述の応用例では、前記第一穴２１にたばこが挿入された場合（図５参照）、前記第二穴２２は使用者が喫煙中に吐き出した気体を排出するために用いられる。
【００１７】
２つのゴムひも４０は、前記第一マスク１０の左右両側にそれぞれ連結されている。前記２つのゴムひも４０が使用者の耳に引っ掛けられると、前記第一マスク１０が使用者の鼻口部位に固定される。
【００１８】
また、図７乃至図９に示されるように、本考案は第二マスク５０を更に備えている。前記第二マスク５０の少なくとも一側は結合構成６０を介して前記第一マスク１０の外側に容易に分離可能に結合されている。前記結合構成６０は、例えば、前記第二マスク５０を前記第一マスク１０に貼着するための面ファスナーである。前記第二マスク５０及び前記第一マスク１０の外側が結合されると、前記第二マスク５０により前記第一マスク１０の前記第一穴２１及び前記第二穴２２が封止されている。
【００１９】
使用者が前記第一穴２１を使用してたばこ１００またはストロー２００を挿着する場合、まず前記第二マスク５０と前記第一マスク１０とを分離し、前記第一穴２１及び前記第二穴２２を開くと、たばこ１００またはストロー２００を前記第一穴２１に挿入可能となる。
【００２０】
図６に示されるように、本考案は、前記第一マスク１０の前記第二穴２２の内側に装設される呼気チューブ２６を更に備えている。
【００２１】
また、図１０と図１１に示されるように、前記呼気チューブ２６は前記第二マスク５０の内側に装設され、前記呼気チューブ２６の位置は前記第一マスク１０の前記第二穴２２に対応する。組み合わせられた状態では、前記呼気チューブ２６が前記第一マスク１０の前記第二穴２２の内側に貫入される。
【００２２】
前記第二マスク５０は空気中の有害な気体、細菌、及び飛沫等の汚染物質を濾過するために用いられる。前記第二マスク５０は矩形、菱形等の異なる形態を有する。前記第一マスク１０及び前記第二マスク５０という二重構造を応用し、更に好ましい濾過効果を達成させている。
【００２３】
前記第二マスク５０は主に綿材質または不織布で構成されるが、本考案の範囲は上述の材質に制限されない。好ましくは、前記第二マスク５０のサイズは前記第一マスク１０未満である。好ましくは、前記第二マスク５０は防塵マスク或いは医療用マスクである。好ましくは、前記第二マスク５０は活性炭を備えている。好ましくは、前記第二マスク５０は多層構造を有する。
【００２４】
また、本考案では、前記第二マスク５０は取り外し可能な方式で前記結合構成６０により前記第一マスク１０に固定されている。一定期間使用した後、使用者が前記第二マスク５０のみを前記第一マスク１０から分離して取り出し、新しい第二マスク５０を装着すると、マスク全体の濾過機能が初期状態に回復する。
【００２５】
図１２及び図１３は本考案の他の実施例を示し、本実施例は上述の実施形態の第一穴２１及び第二穴２２が第二マスク５０に配置されるように変更されたものである。本実施例の部材は以下のとおりである。
【００２６】
第一マスク１０は着用時に使用者の鼻口位置を覆い隠す。前記第一マスク１０は使用者の口の位置に対応する位置に開口部１１を有する。
【００２７】
第二マスク５０は結合構成６０を介して前記第一マスク１０の外側に容易に分離可能に結合されている。前記第二マスク５０及び前記第一マスク１０が結合されると、前記第二マスク５０により前記第一マスク１０の前記開口部１１が封止されている。
【００２８】
前記第二マスク５０は、使用者の口の位置に対応する位置に第一穴５１及び第二穴５２を有する。
【００２９】
第三マスク７０は前記第二マスク５０の外側に位置され、前記第三マスク７０の一側は前記第二マスク５０の外側の一辺に連接されている。前記第三マスク７０の他側は結合構成６１を介して前記第二マスク５０の外側の他辺に容易に分離可能に結合されている。
【００３０】
２つのゴムひも４０は前記第一マスク１０の左右両側にそれぞれ連結されている。前記２つのゴムひも４０は使用者の耳に引っ掛けて前記第一マスク１０を使用者の鼻口部位に固定するために用いられる。
【００３１】
使用時には、前記第二マスク５０から前記第三マスク７０が開かれ（図１３参照）、前記第二マスク５０の前記第一穴５１及び前記第二穴５２が外側に露出され、前記第一穴５１にたばこまたはストローが挿入され、且つ前記たばこまたはストローは前記第一マスク１０の前記開口部１１を貫通する。前記第二穴５２は使用者が喫煙中に吐き出した気体を排出するために用いられる。本実施例の構造を応用することで、交換が必要な際には、前記第二マスク５０及び前記第三マスク７０を取り外して新しいものと交換するのみでよく、製造が容易になる。
【００３２】
なお、本考案は前述した実施の形態のみに限定されるものではなく、本考案の要旨を逸脱しない範囲において種々の変更が可能であることは勿論である。
【符号の説明】
【００３３】
１０  第一マスク
１１  開口部
２１  第一穴
２２  第二穴
２６  呼気チューブ
４０  ゴムひも
５０  第二マスク
５１  第一穴
５２  第二穴
６０  結合構成
６１  結合構成
７０  第三マスク
１００  たばこ
２００  ストロー
【図１】
0003228583.tif 000003
【図２】
0003228583.tif 000004
【図３】
0003228583.tif 000005
【図４】
0003228583.tif 000006
【図５】
0003228583.tif 000007
【図６】
0003228583.tif 000008
【図７】
0003228583.tif 000009
【図８】
0003228583.tif 000010
【図９】
0003228583.tif 000011
【図１０】
0003228583.tif 000012
【図１１】
0003228583.tif 000013
【図１２】
0003228583.tif 000014
【図１３】
0003228583.tif 000015
【手続補正書】
【提出日】令和2年8月3日(2020.8.3)
【手続補正１】
【補正対象書類名】実用新案登録請求の範囲
【補正対象項目名】全文
【補正方法】変更
【補正の内容】
【実用新案登録請求の範囲】
【請求項１】
空気中の汚染物質を濾過するために用いられ、使用者の口の位置に対応する位置に第一穴を有する第一マスクと、
前記第一マスクの左右両側にそれぞれ連結される２つのゴムひもと、を備え、
前記第一穴はたばこまたはストローを挿入させるために用いられることを特徴とする喫煙と食事用のマスク。
【請求項２】
前記第一マスクは、使用者の口の位置に対応する位置に第二穴を更に有することを特徴とする請求項１に記載の喫煙と食事用のマスク。
【請求項３】
前記第一穴は使用者が吸うためのたばこを挿入させるために用いられ、前記第二穴は使用者が喫煙時に吐き出した気体を排出するために用いられることを特徴とする請求項２に記載の喫煙と食事用のマスク。
【請求項４】
前記第一マスクの前記第二穴の内側に装設される呼気チューブを更に備えることを特徴とする請求項２に記載の喫煙と食事用のマスク。
【請求項５】
少なくとも一側が結合構成を介して前記第一マスクの外側に容易に分離可能に結合され、空気中の汚染物質の濾過をするために用いられる第二マスクを更に備えることを特徴とする請求項１に記載の喫煙と食事用のマスク。
【請求項６】
前記結合構成は前記第二マスクを前記第一マスクに貼着するための面ファスナーであることを特徴とする請求項５に記載の喫煙と食事用のマスク。
【請求項７】
前記第一マスク及び前記第二マスクは防塵マスクまたは医療用マスクであることを特徴とする請求項５に記載の喫煙と食事用のマスク。
【請求項８】
前記第一マスク及び前記第二マスクは活性炭を備えることを特徴とする請求項５に記載の喫煙と食事用のマスク。
【請求項９】
前記第一マスク及び前記第二マスクは多層構造を有することを特徴とする請求項５に記載の喫煙と食事用のマスク。
【請求項１０】
前記第二マスクのサイズは前記第一マスク未満であることを特徴とする請求項５に記載の喫煙と食事用のマスク。
【請求項１１】
前記第一マスクは、使用者の口の位置に対応する位置に第二穴を更に有し、
前記第二マスクの内側に装設される呼気チューブを更に備え、前記呼気チューブの位置は前記第一マスクの前記第二穴に対応することを特徴とする請求項５に記載の喫煙と食事用のマスク。
【請求項１２】
着用されると使用者の鼻口の位置を覆い隠し、使用者の口に対応する位置に開口部を有する第一マスクと、
結合構成を介して前記第一マスクの外側に容易に分離可能に結合される第二マスクでと、
前記第二マスクの外側に位置され、一側は前記第二マスクの外側の一辺に連接され、他側は結合構成を介して前記第二マスクの外側の他辺に容易に分離可能に結合される第三マスクと、
前記第一マスクの左右両側にそれぞれ連結される２つのゴムひもと、を備え、前記第二マスク及び前記第一マスクが結合されると、前記第二マスクにより前記第一マスクの前記開口部が封止され、前記第二マスクは使用者の口の位置に対応する位置に第一穴及び第二穴を有することを特徴とする喫煙と食事用のマスク。
【請求項１３】
使用状態では、前記第二マスクから前記第三マスクが開かれ、前記第二マスクの前記第一穴及び前記第二穴が外側に露出され、前記第一穴はたばこまたはストローを挿入させるために用いられ、且つ前記たばこまたはストローは前記第一マスクの前記開口部を貫通し、前記第二穴は使用者が吐き出した気体を排出するために用いられることを特徴とする請求項１２に記載の喫煙と食事用のマスク。